【手続補正書】
【提出日】平成22年9月15日(2010.9.15)
【手続補正１】
【補正対象書類名】特許請求の範囲
【補正対象項目名】全文
【補正方法】変更
【補正の内容】
【特許請求の範囲】
【請求項１】
光軸に沿って物体側から順に並んだ、負の屈折力を有する第１レンズ群と、正の屈折力を有する第２レンズ群とを備え、前記第１レンズ群と前記第２レンズ群との空気間隔を変化させることにより変倍を行うように構成されたズームレンズにおいて、
前記第２レンズ群は、光軸に沿って物体側から順に並んだ、第１の正レンズ成分と、開口絞りと、第２の正レンズ成分と、負レンズとを有して構成されており、
前記第２の正レンズ成分と前記負レンズとの軸上空気間隔をｄとし、前記第１の正レンズ成分における物体側レンズ面から像面までの広角端無限遠合焦時の軸上距離をｄ２としたとき、次式
０．０２０＜ｄ／ｄ２＜０．６０
の条件を満足するとともに、
前記第１レンズ群における光学面のうち少なくとも１面に反射防止膜が設けられ、前記反射防止膜はウェットプロセスを用いて形成された層を少なくとも１層含むように構成されることを特徴とするズームレンズ。
【請求項２】
前記反射防止膜は多層膜であり、
前記ウェットプロセスを用いて形成された層は、前記多層膜を構成する層のうち最も表面側の層であることを特徴とする請求項１に記載のズームレンズ。
【請求項３】
前記ウェットプロセスを用いて形成された層の屈折率をｎｄとしたとき、次式
ｎｄ≦１．３０
の条件を満足することを特徴とする請求項１もしくは請求項２に記載のズームレンズ。
【請求項４】
光軸に沿って物体側から順に並んだ、負の屈折力を有する第１レンズ群と、正の屈折力を有する第２レンズ群とを備え、前記第１レンズ群と前記第２レンズ群との空気間隔を変化させることにより変倍を行うように構成されたズームレンズにおいて、
前記第２レンズ群は、光軸に沿って物体側から順に並んだ、第１の正レンズ成分と、開口絞りと、第２の正レンズ成分と、負レンズとを有して構成されており、
前記第２の正レンズ成分と前記負レンズとの軸上空気間隔をｄとし、前記第１の正レンズ成分における物体側レンズ面から像面までの広角端無限遠合焦時の軸上距離をｄ２としたとき、次式
０．０２０＜ｄ／ｄ２＜０．６０
の条件を満足するとともに、
前記第１レンズ群における光学面のうち少なくとも１面に反射防止膜が設けられ、前記反射防止膜は屈折率が１．３０以下となる層を少なくとも１層含むように構成されることを特徴とするズームレンズ。
【請求項５】
前記反射防止膜は多層膜であり、
前記屈折率が１．３０以下となる層は、前記多層膜を構成する層のうち最も表面側の層であることを特徴とする請求項４に記載のズームレンズ。
【請求項６】
前記光学面が前記開口絞りに対して凹面であることを特徴とする請求項１から請求項５のうちいずれか一項に記載のズームレンズ。
【請求項７】
前記第２の正レンズ成分と前記負レンズとの軸上空気間隔をｄとし、前記第１レンズ群の焦点距離をｆ１としたとき、次式
−１．０＜ｄ／ｆ１≦−０．２７
の条件を満足することを特徴とする請求項１から請求項６のうちいずれか一項に記載のズームレンズ。
【請求項８】
広角端状態における前記ズームレンズ全系の焦点距離をｆｗとし、前記第２レンズ群の焦点距離をｆ２としたとき、次式
０．２５＜ｆｗ／ｆ２＜０．５
の条件を満足することを特徴とする請求項１から請求項７のうちいずれか一項に記載のズームレンズ。
【請求項９】
前記第１の正レンズ成分および前記第２の正レンズ成分のうち少なくとも一方が、正レンズと負レンズとの貼り合わせレンズであり、
前記貼り合わせレンズにおける前記正レンズのｄ線に対するアッベ数をνｄｐとし、前記貼り合わせレンズにおける前記負レンズのｄ線に対するアッベ数をνｄｎとしたとき、次式
０．２５＜νｄｎ／νｄｐ＜０．９５
の条件を満足することを特徴とする請求項１から請求項８のうちいずれか一項に記載のズームレンズ。
【請求項１０】
前記第１の正レンズ成分は、合焦のために可動であることを特徴とする請求項１から請求項９のうちいずれか一項に記載のズームレンズ。
【請求項１１】
前記第２レンズ群は、非球面のレンズ成分を有して構成されることを特徴とする請求項１から請求項１０のうちいずれか一項に記載のズームレンズ。
【請求項１２】
前記第２レンズ群は、少なくとも３組の接合レンズを有することを特徴とする請求項１から請求項１１のいずれか一項に記載のズームレンズ。
【請求項１３】
前記第１レンズ群は、物体側から順に、少なくとも３枚の負レンズを有することを特徴とする請求項１から請求項１２のいずれか一項に記載のズームレンズ。
【請求項１４】
前記第１レンズ群の前記少なくとも３枚の負レンズは、負メニスカスレンズであることを特徴とする請求項１３に記載のズームレンズ。
【請求項１５】
前記第１レンズ群は、物体側から順に、少なくとも４枚の負レンズと少なくとも１枚の正レンズを有することを特徴とする請求項１から請求項１２のいずれか一項に記載のズームレンズ。
【請求項１６】
前記第１レンズ群の前記少なくとも４枚の負レンズのうち少なくとも３枚の負レンズは、負メニスカスレンズであることを特徴とする請求項１５に記載のズームレンズ。
【請求項１７】
前記第１レンズ群は、少なくとも２面が非球面であることを特徴とする請求項１から請求項１６のいずれか一項に記載のズームレンズ。
【請求項１８】
前記第１レンズ群と前記第２レンズ群との空気間隔を変化させることで変倍する変倍比は１．６５以上１．７４以下であることを特徴とする請求項１から請求項１７のいずれか一項に記載のズームレンズ。
【請求項１９】
前記反射防止膜は、前記第１レンズ群の最も物体側のレンズの像側のレンズ面に設けられていることを特徴とする請求項１から請求項１８のいずれか一項に記載のズームレンズ。
【請求項２０】
物体の像を所定の像面上に結像させるズームレンズを備えた光学機器において、
前記ズームレンズが請求項１から請求項１９のうちいずれか一項に記載のズームレンズであることを特徴とする光学機器。
【請求項２１】
光軸に沿って物体側から順に並んだ、負の屈折力を有する第１レンズ群と、正の屈折力を有する第２レンズ群とを備え、前記第１レンズ群と前記第２レンズ群との空気間隔を変化させることにより変倍を行うように構成されたズームレンズを用いて、前記物体の像を所定の像面上に結像させる結像方法であって、
前記第２レンズ群は、光軸に沿って物体側から順に並んだ、第１の正レンズ成分と、開口絞りと、第２の正レンズ成分と、負レンズとを有して構成されており、
前記第２の正レンズ成分と前記負レンズとの軸上空気間隔をｄとし、前記第１の正レンズ成分における物体側レンズ面から前記像面までの広角端無限遠合焦時の軸上距離をｄ２としたとき、次式
０．０２０＜ｄ／ｄ２＜０．６０
の条件を満足するとともに、
前記第１レンズ群における光学面のうち少なくとも１面に反射防止膜を設け、前記反射防止膜がウェットプロセスを用いて形成された層を少なくとも１層含むように構成したことを特徴とする結像方法。
【手続補正２】
【補正対象書類名】明細書
【補正対象項目名】０００５
【補正方法】変更
【補正の内容】
【０００５】
このような目的達成のため、第１の発明に係るズームレンズは、光軸に沿って物体側から順に並んだ、負の屈折力を有する第１レンズ群と、正の屈折力を有する第２レンズ群とを備え、前記第１レンズ群と前記第２レンズ群との空気間隔を変化させることにより変倍を行うように構成されたズームレンズにおいて、前記第２レンズ群は、光軸に沿って物体側から順に並んだ、第１の正レンズ成分と、開口絞りと、第２の正レンズ成分と、負レンズとを有して構成されており、前記第２の正レンズ成分と前記負レンズとの軸上空気間隔をｄとし、前記第１の正レンズ成分における物体側レンズ面から像面までの広角端無限遠合焦時の軸上距離をｄ２としたとき、次式
０．０２０＜ｄ／ｄ２＜０．６０
の条件を満足するとともに、前記第１レンズ群における光学面のうち少なくとも１面に反射防止膜が設けられ、前記反射防止膜はウェットプロセスを用いて形成された層を少なくとも１層含むように構成される。
【手続補正３】
【補正対象書類名】明細書
【補正対象項目名】０００８
【補正方法】変更
【補正の内容】
【０００８】
また、第２の発明に係るズームレンズは、光軸に沿って物体側から順に並んだ、負の屈折力を有する第１レンズ群と、正の屈折力を有する第２レンズ群とを備え、前記第１レンズ群と前記第２レンズ群との空気間隔を変化させることにより変倍を行うように構成されたズームレンズにおいて、前記第２レンズ群は、光軸に沿って物体側から順に並んだ、第１の正レンズ成分と、開口絞りと、第２の正レンズ成分と、負レンズとを有して構成されており、前記第２の正レンズ成分と前記負レンズとの軸上空気間隔をｄとし、前記第１の正レンズ成分における物体側レンズ面から像面までの広角端無限遠合焦時の軸上距離をｄ２としたとき、次式
０．０２０＜ｄ／ｄ２＜０．６０
の条件を満足するとともに、前記第１レンズ群における光学面のうち少なくとも１面に反射防止膜が設けられ、前記反射防止膜は屈折率が１．３０以下となる層を少なくとも１層含むように構成される。
【手続補正４】
【補正対象書類名】明細書
【補正対象項目名】００１５
【補正方法】変更
【補正の内容】
【００１５】
また、上述の各発明において、前記第２レンズ群は、非球面のレンズ成分を有して構成されることが好ましい。
また、上述の各発明において、前記第２レンズ群は、少なくとも３組の接合レンズを有することが好ましい。
また、上述の各発明において、前記第１レンズ群は、物体側から順に、少なくとも３枚の負レンズを有することが好ましい。
また、上述の各発明において、前記第１レンズ群の前記少なくとも３枚の負レンズは、負メニスカスレンズであることが好ましい。
また、上述の各発明において、前記第１レンズ群は、物体側から順に、少なくとも４枚の負レンズと少なくとも１枚の正レンズを有することが好ましい。
また、上述の各発明において、前記第１レンズ群の前記少なくとも４枚の負レンズのうち少なくとも３枚の負レンズは、負メニスカスレンズであることが好ましい。
また、上述の各発明において、前記第１レンズ群は、少なくとも２面が非球面であることが好ましい。
また、上述の各発明において、前記第１レンズ群と前記第２レンズ群との空気間隔を変化させることで変倍する変倍比は１．６５以上１．７４以下であることが好ましい。
また、上述の各発明において、前記反射防止膜は、前記第１レンズ群の最も物体側のレンズの像側のレンズ面に設けられていることが好ましい。
【手続補正５】
【補正対象書類名】明細書
【補正対象項目名】００１７
【補正方法】変更
【補正の内容】
【００１７】
また、本発明に係る結像方法は、光軸に沿って物体側から順に並んだ、負の屈折力を有する第１レンズ群と、正の屈折力を有する第２レンズ群とを備え、前記第１レンズ群と前記第２レンズ群との空気間隔を変化させることにより変倍を行うように構成されたズームレンズを用いて、前記物体の像を所定の像面上に結像させる結像方法であって、前記第２レンズ群は、光軸に沿って物体側から順に並んだ、第１の正レンズ成分と、開口絞りと、第２の正レンズ成分と、負レンズとを有して構成されており、前記第２の正レンズ成分と前記負レンズとの軸上空気間隔をｄとし、前記第１の正レンズ成分における物体側レンズ面から前記像面までの広角端無限遠合焦時の軸上距離をｄ２としたとき、次式
０．０２０＜ｄ／ｄ２＜０．６０
の条件を満足するとともに、前記第１レンズ群における光学面のうち少なくとも１面に反射防止膜を設け、前記反射防止膜がウェットプロセスを用いて形成された層を少なくとも１層含むように構成したことを特徴とする。